(57)【特許請求の範囲】
【請求項１】
上側部材と下側部材の周縁部同士が結合して内部に内部空間が形成されたフロアパネルにおいて、
前記上側部材と前記下側部材のそれぞれの側板部に、前記フロアパネルの内側に略矩形状に入り込むような開口部が形成され、
前記開口部の形状が、その水平断面の全部又は一部において、２つの入隅部が前記フロアパネルの内側に入り込むような湾曲状にそれぞれ形成されると共に、前記２つの入隅部の間の中央部が前記フロアパネルの外側に向かって突出するように形成された
ことを特徴とするフロアパネル。
【請求項２】
凹部空間を有する箱状に形成された上側部材と下側部材の互いの凹部空間同士を連通させるように配置し、前記上側部材と前記下側部材の周縁部同士が結合して内部に内部空間が形成されたフロアパネルにおいて、
前記上側部材と前記下側部材のそれぞれの側板部に、前記フロアパネルの内側に略矩形状に入り込むような開口部が形成され、
前記フロアパネルの上面を形成する前記上側部材には、前記開口部の３つの辺部に沿うように、前記上面との間に段差を有する段差受面が形成され、
前記上側部材の前記開口部における、前記段差受面より下方の水平断面形状が、２つの入隅部が前記フロアパネルの内側に湾曲状に入り込むように形成され、
前記下側部材の前記開口部における、前記フロアパネルの底面より上方の水平断面形状が、２つの入隅部が前記フロアパネルの内側に湾曲状に入り込むように形成された
ことを特徴とするフロアパネル。
【請求項３】
前記上側部材の前記開口部における、前記段差受面より下方の水平断面形状が、２つの入隅部が前記フロアパネルの内側に湾曲状に入り込むように形成されると共に、前記２つの入隅部の間の中央部が前記フロアパネルの外側に向かって突出するように形成され、
前記下側部材の前記開口部における、前記フロアパネルの底面より上方の水平断面形状が、２つの入隅部が前記フロアパネルの内側に湾曲状に入り込むように形成されると共に、前記２つの入隅部の間の中央部が前記フロアパネルの外側に向かって突出するように形成された
ことを特徴とする請求項２に記載のフロアパネル。
【請求項４】
前記上側部材と前記下側部材それぞれの前記開口部に、前記上側部材の下面と、前記下側部材の上面との接触部において、前記３つの辺部から水平方向、かつ前記開口部の中央側に向かって突出する突出部が形成され、
前記上側部材の突出部の下面と、前記下側部材の突出部の上面が接触して互いに接合された
ことを特徴とする請求項１から３のいずれかに記載のフロアパネル。
【請求項５】
前記上側部材と前記下側部材の間に形成された前記内部空間に補強部材が設けられた
ことを特徴とする請求項１から４のいずれかに記載のフロアパネル。
【発明の詳細な説明】
【技術分野】
【０００１】
本発明は、フリーアクセスフロアに用いられるフロアパネルに関するものである。
【背景技術】
【０００２】
本発明のフロアパネルは、フリーアクセスフロアに用いられるものである。フリーアクセスフロアのフロアパネルは、建築構造物の一部を構成するコンクリート材等により形成された基礎床面の上方に、空間を隔てて設けられるものである（例えば、特許文献１参照）。【０００３】
図１０から図１５は、従来のフロアパネル２について説明するために参照する図である。従来のフロアパネル２は、図１０に示すように、基礎床面３上に立設する支持脚４と共に、フリーアクセスフロア１を構成していた。【０００４】
フロアパネル２は、基礎床面３から上方に空間を隔てた高さの水平面上に、上から見て縦横二軸両方向に互いに隣接して配置されており、フロアパネル２の四隅部が基礎床面３上に立設された支持脚４に着脱可能に支持されていた。【０００５】
フロアパネル２は、図１１に示すように、主に上面６ｃが略正方形の略板状に形成された天板６と、底面８ｃを有する箱状に形成された底板８を、上面６ｃと底面８ｃが対向するように上下に組み合わせることにより、図１２に示すように構成されていた。これらの天板６と底板８は、共に鋼板材を用いて構成されていた。【０００６】
フロアパネル２の底板８には、図１３に示すように、その底板部８ａの周縁部より、図中上方に向かって略垂直に折り曲げられた側板部８ｂが形成されると共に、この側板部８ｂの上端部には図中右側に向かって折り曲げられた周縁部８ｆが形成されていた。このため、天板８は、側板部８ｂの水平方向内側に形成された凹部空間８ｄを有する箱状に形成されていた。【０００７】
そして、図１３及び図１４に示すように、底板８の側板部８ｂ上方の周縁部８ｆは、天板６の周縁部６ｆに当接し、周縁部６ｆと周縁部８ｆは互いに溶接やカシメ等により接合されていた。【０００８】
このように、天板６と底板８が一体的に結合されることにより、フロアパネル２は内部空間１０を有する中空状に形成されていた。そして、この内部空間１０には厚さを有する補強部材１２が設けられていた。【０００９】
また、図１１に示すように、フロアパネル２は、その略正方形の側辺部の一辺において、その内側に略矩形状に入り込むような開口部２ａが形成されていた。この開口部２ａは、床下配線をフロアパネル２上に設置されたＯＡ機器等に接続するために使用されるコンセントボックス等を取付けるために、或は単に配線を通すために用いられていた。【００１０】
そして、図１４，１５に示すように、フロアパネル２の開口部２ａを構成する略コの字状の３つの辺部には、その垂直断面がテーパ状となっている接続部６ｈと、この接続部６ｈの下端部から水平かつその幅方向に伸びて、上面６ｃとの間に段差を有する段差受面６ｇが形成されていた。この段差受面６ｇは、フロアパネル２の開口部２ａを構成する略コの字状の３つの辺部に沿って形成されていた。【００１１】
そして、この天板６の段差受面６ｇ上に、図１０に示すような、その上面が天板６の上面６ｃと略同一平面状に形成された、板状の蓋部材１８の３つの辺部の下面を接触させて、フロアパネル２の開口部２ａを閉塞するようになっていた。
【先行技術文献】
【特許文献】
【００１２】
【特許文献１】特開２００９−１４４３７８号公報
【発明の概要】
【発明が解決しようとする課題】
【００１３】
しかしながら、この従来のフロアパネル２においては、板厚が薄く、絞り加工用でない鋼板を用いて、天板６及び底板８をプレス絞り加工により成形する際、それらの側辺部の内側に略矩形状に入り込む形状、例えばフロアパネル２の開口部２ａのような成形が難しいという問題があった。【００１４】
すなわち、天板６、及び底板８をプレス絞り加工する際に、それらの内側に略直角に凹むように形成される内側隅部６ｍ，８ｍ（図１１，１５参照）の鋼板の板厚が他の部分よりも引張られて薄くなるため、鋼板が伸びきれずに亀裂を生じてしまい、開口部２ａがうまく成形できない場合があった。【００１５】
そして、天板８の内側隅部６ｍ、及び底板８の内側隅部８ｍの鋼板が伸びきれずに亀裂を生じて、開口が生じた場合には、フロアパネル２の内部空間１０に設けられた補強部材１２の一部がフロアパネル２の外部に露出してしまい、火事の原因になる恐れがあった。【００１６】
そのため、板厚が薄い鋼板を用いて、天板６及び底板８をプレス絞り加工することができないため、板厚が厚い鋼板、又は絞り加工用の鋼板を用いなければならないことにより、フロアパネル２の材料費用の上昇、及びその重量化を招くという問題があった。【００１７】
そこで本発明は、上記問題点に鑑みて、板厚が薄い鋼板を用いた場合において難しかったプレス絞り加工を容易にすることにより、材料費用の低減、及びその軽量化を図ることができるフロアパネルを提供することを課題とするものである。
【課題を解決するための手段】
【００１８】
上記課題を解決するために、本発明によるフロアパネルは、
上側部材と下側部材の周縁部同士が結合して内部に内部空間が形成されたフロアパネルにおいて、
前記上側部材と前記下側部材のそれぞれの側板部に、前記フロアパネルの内側に略矩形状に入り込むような開口部が形成され、
前記開口部の形状が、その水平断面の全部又は一部において、２つの入隅部が前記フロアパネルの内側に入り込むような湾曲状にそれぞれ形成されると共に、前記２つの入隅部の間の中央部が前記フロアパネルの外側に向かって突出するように形成されたことを特徴とするものである。
【００１９】
また、本発明によるフロアパネルは、
凹部空間を有する箱状に形成された上側部材と下側部材の互いの凹部空間同士を連通させるように配置し、前記上側部材と前記下側部材の周縁部同士が結合して内部に内部空間が形成されたフロアパネルにおいて、
前記上側部材と前記下側部材のそれぞれの側板部に、前記フロアパネルの内側に略矩形状に入り込むような開口部が形成され、
前記フロアパネルの上面を形成する前記上側部材には、前記開口部の３つの辺部に沿うように、前記上面との間に段差を有する段差受面が形成され、
前記上側部材の前記開口部における、前記段差受面より下方の水平断面形状が、２つの入隅部が前記フロアパネルの内側に湾曲状に入り込むように形成され、
前記下側部材の前記開口部における、前記フロアパネルの底面より上方の水平断面形状が、２つの入隅部が前記フロアパネルの内側に湾曲状に入り込むように形成されたことを特徴とするものである。
【００２０】
また、本発明によるフロアパネルは、
前記上側部材の前記開口部における、前記段差受面より下方の水平断面形状が、２つの入隅部が前記フロアパネルの内側に湾曲状に入り込むように形成されると共に、前記２つの入隅部の間の中央部が前記フロアパネルの外側に向かって突出するように形成され、
前記下側部材の前記開口部における、前記フロアパネルの底面より上方の水平断面形状が、２つの入隅部が前記フロアパネルの内側に湾曲状に入り込むように形成されると共に、前記２つの入隅部の間の中央部が前記フロアパネルの外側に向かって突出するように形成されたことを特徴とするものである。
【００２１】
また、本発明によるフロアパネルは、
前記上側部材と前記下側部材それぞれの前記開口部に、前記上側部材の下面と、前記下側部材の上面との接触部において、前記３つの辺部から水平方向、かつ前記開口部の中央側に向かって突出する突出部が形成され、
前記上側部材の突出部の下面と、前記下側部材の突出部の上面が接触して互いに接合されたことを特徴とするものである。
【００２２】
また、本発明によるフロアパネルは、
前記上側部材と前記下側部材の間に形成された前記内部空間に補強部材が設けられたことを特徴とするものである。
【発明の効果】
【００２３】
このような本発明のフロアパネルによれば、
上側部材と下側部材の周縁部同士が結合して内部に内部空間が形成されたフロアパネルにおいて、
前記上側部材と前記下側部材のそれぞれの側板部に、前記フロアパネルの内側に略矩形状に入り込むような開口部が形成され、
前記開口部の形状が、その水平断面の全部又は一部において、２つの入隅部が前記入隅部以外の他の略直線状の部分よりも前記フロアパネルの内側に入り込むような湾曲状にそれぞれ形成されたことにより、
板厚が薄い鋼板を用いた場合において難しかった、プレス絞り加工を容易にすることにより、材料費用の低減、及びその軽量化を図ることができる。
【図面の簡単な説明】
【００２４】
【図１】本発明の一実施の形態に係るフロアパネル４０の上面図である。
【図２】図１に示すフロアパネル４０の底面図である。
【図３】図１に示すフロアパネル４０の概略を示す側面図である。
【図４】図１に示すフロアパネル４０のＡ−Ａ線矢視断面図である。
【図５】図１に示すフロアパネル４０のＢ−Ｂ線矢視断面図である。
【図６】図１に示すフロアパネル４０の開口部４０ａとその周辺を拡大して示す部分拡大図である。
【図７】図１に示すフロアパネル４０の開口部４０ａとその周辺を拡大して示す部分拡大斜視図である。
【図８】図１に示すフロアパネル４０のＣ−Ｃ線矢視断面図である。
【図９】図１に示すフロアパネル４０と、このフロアパネル４０を支持する支持脚４２とにより構成されたフリーアクセスフロア４１を示す部分側面図である。
【図１０】従来のフロアパネル２と、このフロアパネル２を支持する支持脚４とにより構成された従来のフリーアクセスフロア１を示す部分斜視図である。
【図１１】従来のフロアパネル２の上面図である。
【図１２】従来のフロアパネル２の概略を示す側面図である。
【図１３】図１１に示すフロアパネル２のＤ−Ｄ線矢視断面図である。
【図１４】図１１に示すフロアパネル２のＥ−Ｅ線矢視断面図である。
【図１５】図１１に示すフロアパネル２の開口部２ａとその周辺を拡大して示す部分拡大斜視図である。
【発明を実施するための形態】
【００２５】
以下、本発明に係るフロアパネルを実施するための形態について、図面に基づいて具体的に説明する。
図１から図９は、本発明の一実施の形態に係るフロアパネル４０について説明するために参照する図である。
【００２６】
本実施の形態に係るフロアパネル４０は、図１，２に示すように、主に上面４４ｃが略正方形状に形成された天板４４（上側部材）と、それに対向する底面４６ｃが略正方形状に形成された底板４６（下側部材）を上下から組み合わせることにより、図３に示すように構成されている。
【００２７】
これらの天板４４と底板４６は、例えば、ＳＧＣＣ等の鋼板材を用いてプレス絞り加工により形成されている。
【００２８】
フロアパネル４０の天板４４には、図４に示すように、その天板部４４ａの周縁部より、同図中下方に向かって略垂直に折り曲げられた側板部４４ｂが形成されており、フロアパネル４０の底板４６には、その底板部４６ａの周縁部より、図中上方に向かって略垂直に折り曲げられた側板部４６ｂが形成されている。
【００２９】
このため、天板４４は、側板部４４ｂの水平方向内側、かつ高さ方向に渡って形成された凹部空間４４ｄを有する箱状に形成されている。また、底板４６も同様に、側板部４６ｂの水平方向内側、かつ高さ方向に渡って形成された凹部空間４６ｄを有する箱状に形成されている。
【００３０】
そして、フロアパネル４０は、天板４４と底板４６の凹部空間４４ｄ，４６ｄ同士を連通させるように配置して、天板４４の側板部４４ｂの下端部と、底板４６の側板部４６ｂの上端部が、互いの先端部を包み込むようにＵ字状に折り曲げ加工されることにより、フロアパネル４０の図４中上下方向略中央部の結合部４５において結合されている。
【００３１】
このように、天板４４と底板４６が結合部４５において一体的に結合されることにより、フロアパネル４０は、内部空間４８を有する中空状に形成されている。そして、この内部空間４８内には、フロアパネル４０の強度を向上させるために、厚さを有する補強部材５０が収納されて設けられている。
【００３２】
フロアパネル４０の天板４４と底板４６の結合部４５における結合は、底板４６の凹部空間４６ｄに補強部材５０を設けた後、補強部材５０の上に天板４４の凹部空間４４ｄを被せてからプレス加工により行なわれる。
【００３３】
フロアパネル４０の天板４４は、図１に示すように、その四隅部には、その平面形状が円形を４分割したような円弧状の接続部４４ｆと、その半径内側に、やはりその平面形状が円形を４分割したような円弧状の段差受面４４ｅが形成されている。
【００３４】
すなわち、天板４４の四隅部それぞれには、図５に示すように、その垂直断面が円弧状となっている接続部４４ｆが形成されていると共に、この接続部４４ｆの下端部から、天板４４の上面４４ｃと平行（水平）で、かつその半径方向に伸びて、上面４４ｃとの間に高さが低い段差を有する段差受面４４ｅが形成されている。
【００３５】
また、図１，２に示すように、フロアパネル４０は、その略正方形の側辺部の一つである下辺（図中左右方向に伸びる下側の辺）において、その内側に略矩形状に入り込むような開口部４０ａが形成されている。この開口部４０ａは、床下配線をフロアパネル４０上に設置されたＯＡ機器等に接続するために使用されるコンセントボックスを取付ける等のために用いられている。
【００３６】
そして、図６〜図８に示すように、フロアパネル４０の開口部４０ａを構成する略コの字状の３つの辺部には、その垂直断面が円弧状となっている接続部４４ｈと、この接続部４４ｈの下端部から、天板４４の上面４４ｃと平行（水平）で、かつその幅方向に伸びて、上面４４ｃとの間に高さが低い段差を有する段差受面４４ｇが形成されている。この段差受面４４ｇは、フロアパネル４０の開口部４０ａを構成する略コの字状の３つの辺部に沿って形成されている。
【００３７】
そして、この天板４４の段差受面４４ｇ上に、その上面が天板４４の上面４４ｃと略同一平面状になるよう形成された、板状の蓋部材１８（図１０参照）の下面を接触させて、フロアパネル４０の開口部４０ａを閉塞するようになっている。
【００３８】
また、天板４４には、図８に示すように、天板４４の段差受面４４ｇから斜め下方に向かって傾斜する傾斜部４４ｒと、この傾斜部４４ｒの下端部から水平方向に伸びて、段差受面４４ｇとの間に段差を有する突出部４４ｋが形成されている。この突出部４４ｋは、図６に示すフロアパネル４０の開口部４０ａを構成する、略コの字状の３つの辺部に沿って形成されている。
【００３９】
また、底板４６には、図８に示すように、底板４６の底面４６ｃから斜め上方に向かって傾斜する傾斜部４６ｒと、この傾斜部４６ｒの上端部から水平方向に伸びて、底面４６ｃとの間に段差を有する突出部４６ｋが形成されている。この突出部４６ｋは、フロアパネル４０の開口部４０ａを構成する略コの字状の３つの辺部に沿って形成されている。
【００４０】
そして、図８に示すように、天板４４の突出部４４ｋの下面と、底板４６の突出部４６ｋの上面が接触するように配置され、突出部４４ｋ，４６ｋ間は、互いに溶接やカシメ等により接合されている。
【００４１】
ところで、フロアパネル４０の開口部４０ａの大きさが、床下配線をフロアパネル４０上に設置されたＯＡ機器等に接続するために使用されるコンセントボックスを取付けることができる大きさとなるように、開口部４０ａを構成する３つの辺部から水平方向で開口部４０ａの中央側に突出部４４ｋ，４６ｋの先端が突出する寸法が設定されている。
【００４２】
また、開口部４０ａの傾斜部４４ｒにおける水平断面形状は、２つの内側隅部（入隅部）４４ｍ（図６，７参照）が内側隅部４４ｍ以外の他の略直線状の部分よりもフロアパネル４０の内側に入り込むような湾曲状に形成されている。
【００４３】
すなわち、フロアパネル４０の開口部４０ａの図６中右側の内側隅部４４ｍは、従来のフロアパネル２の開口部２ａの内側隅部６ｍ（図１１参照）と異なり、その傾斜部４４ｒにおける水平断面形状が、その内側隅部４４ｍ以外の略直線状の部分よりも同図中右方向及び上方向に、入り込むように湾曲状に形成されている。
【００４４】
このため、図６中右側の内側隅部４４ｍの左側は、図中右側の湾曲部４４ｎにおいて、同図中斜め左下方向に曲がって、前記略直線状の部分に戻るように形成されている。
【００４５】
また、図６中右側の内側隅部４４ｍの下側は、同図中斜め左下方向に曲がって、前記略直線状の部分に戻るように形成されている。
【００４６】
また、フロアパネル４０の開口部４０ａの図６中左側の内側隅部４４ｍは、従来のフロアパネル２の開口部２ａの内側隅部６ｍ（図１１参照）と異なり、その傾斜部４４ｒにおける水平断面形状が、その内側隅部４４ｍ以外の略直線状の部分よりも同図中左方向及び上方向に、入り込むように湾曲状に形成されている。
【００４７】
このため、図６中左側の内側隅部４４ｍの右側は、図中左側の湾曲部４４ｎにおいて、同図中斜め右下方向に曲がって、前記略直線状の部分に戻るように形成されている。
【００４８】
また、図６中左側の内側隅部４４ｍの下側は、同図中斜め右下方向に曲がって、前記略直線状の部分に戻るように形成されている。
【００４９】
同様に、開口部４０ａの傾斜部４６ｒにおける水平断面形状も、２つの内側隅部（入隅部）４６ｍ（図２参照）が内側隅部４６ｍ以外の他の略直線状の部分よりもフロアパネル４０の内側に入り込むような湾曲状に形成されている。
【００５０】
このように、内側隅部４４ｍ，４６ｍが、それぞれフロアパネル４０の内側（開口部４０ａと反対側）に向かって入り込むように湾曲状に形成されているため、内側隅部４４ｍ，４６ｍの曲率半径は、従来のフロアパネル２のように、フロアパネル２の内側に入り込まないで形成された開口部２ａの内側隅部６ｍ，８ｍの曲率半径よりも大きくすることができる。
【００５１】
すなわち、フロアパネル４０の開口部４０ａの内側隅部４４ｍ，４６ｍは、従来のフロアパネル２の開口部２ａの内側隅部６ｍ，８ｍよりも、大きな半径で緩やかに曲がるようにそれぞれ形成されている。
【００５２】
このため、板厚が薄く、絞り加工用でない鋼板を用いて、天板４４及び底板４６をプレス絞り加工により成形する場合であっても、フロアパネル４０の開口部４０ａにおける内側隅部４４ｍ，４６ｍの鋼板が伸びきれずに亀裂を生じてしまうということはなく、そのようなことを防止することができる。
【００５３】
したがって、板厚が薄く、絞り加工用でない鋼板を用いた場合でも、天板４４及び底板４６の開口部４０ａに相当する部分を容易に成形することができるため、板厚を厚くしたり、絞り加工用の鋼板を用いる必要がないので、フロアパネル４０の材料費用の低減、及びその軽量化を図ることができる。
【００５４】
また、図４，５，８に示すように、フロアパネル４０の内部空間４８には、厚さを有する補強部材５０が、天板４４の天板部４４ａと、底板４６の底板部４６ａの間に挟まれて、側板部４４ｂ，４６ｂに沿うように設けられている。この補強部材５０には、木材を小さな木片に砕いて乾燥させ、接着剤を加えて高温高圧の下で成形したパーティクルボードが用いられている。
【００５５】
フロアパネル４０は、図５及び図８に示すように、その天板４４の段差受面４４ｅ，４４ｇと、それらの下方の底板４６の底板部４６ａとの間にも補強部材５０が挟みこまれているため、それらの段差受面４４ｅ，４４ｇの強度を向上させることができて撓み難くなっている。そのため、段差受面４４ｅ，４４ｇの上方から荷重が加えられた際に、段差受面４４ｅ，４４ｇが変形することを防止することができるようになっている。
【００５６】
また、天板４４の段差受面４４ｇの上に載置された蓋部材１８（図１０参照）は、その上方から加えられた荷重を、段差受面４４ｇにより支持することができるため、蓋部材１８が変形することを防止することもできるようになっている。
【００５７】
前述のように、天板４４には、傾斜部４４ｒの下端部から水平に伸びた突出部４４ｋが形成され、底板４６には、傾斜部４６ｒの上端部から水平方向に伸びた突出部４６ｋが形成されている。
【００５８】
このため、フロアパネル４０の上方から大きな荷重が加えられた際でも、開口部４０ａを構成する３つの辺部から水平方向外側（開口部４０ａの中央側）に突出する突出部４４ｋ，４６ｋが、その大きな荷重に抵抗するように補強リブとして作用するため、フロアパネル４０全体の強度を向上させることができるようになっている。
【００５９】
フロアパネル４０は、図９に示すように、基礎床面３上に立設する支持脚４２と共にフリーアクセスフロア４１を構成するようになっている。そして、フロアパネル４０を支持する支持脚４２は、パネル調整台５６と脚部５８により構成されている。
【００６０】
支持脚４２のパネル調整台５６は、その軸線部下端側に形成されたメネジ部に、脚部５８の外周部に形成されたオネジ部５８ａをネジ結合した状態で、オネジ部５８ａの螺旋軌跡に沿ってパネル調整台５６を相対回転させることにより、パネル調整台５６の基礎床面３からの高さ位置を調整している。
【００６１】
そして、パネル調整台５６の下端部に形成された、軸線がその半径方向に伸びるメネジ孔に、オネジ部材１５を締め付けることにより、パネル調整台５６を基礎床面３から所望の高さ位置に固定している。
【００６２】
パネル調整台５６の支持面５６ａ上に、複数のフロアパネル４０の底面４６ｃの四隅部を１箇所に寄せ集めて突き合わせるように載置されている。そして、フロアパネル４０は、皿ボルト１７のオネジ部１７ｂを、パネル調整台５６の軸線部上端側のメネジ孔５６ｂに締め付けることにより、その天板４４の四隅部の段差受面４４ｅが、皿ボルト１７の皿頭部１７ａにより下方に押え付けられて、パネル調整台５６の支持面５６ａ上に固定されている。
【００６３】
底板４６の底面４６ｃの四隅部には、図２に示すように、天板４４の上面４４ｃ側（図３中上側方向）に窪んだ半球状の凹部４６ｅが形成されている。そして、底面４６ｃの四隅部がパネル調整台５６の支持面５６ａ上に載置される際に、凹部４６ｅが、支持面５６ａに設けられた半球状の凸部と嵌合することにより、支持脚４２上に載置されるフロアパネル４０の位置決めが簡単にできるようになっている。
【００６４】
したがって、以上に説明したように、本実施の形態に係るフロアパネル４０によれば、板厚が薄く、絞り加工用でない鋼板を用いた場合でも、天板４４及び底板４６を容易に成形することができるため、材料費用の低減、及びその軽量化を図ることができる。
【００６５】
なお、本発明は、前記実施の形態にのみ限定されるものではなく、本発明の目的を達成することができる範囲内であれば、フロアパネルの種々の変更が可能である。
【００６６】
例えば、前記実施の形態に係るフロアパネル４０においては、図６，７においては、フロアパネル４０の開口部４０ａを構成する天板４４の略コの字状の３つの辺部の内側隅部４４ｍが、フロアパネル４０の内側（開口部４０ａと反対側）に向かって湾曲状に入り込むように形成されていたが、フロアパネル４０の開口部４０ａの内側隅部の水平断面が、緩やかな曲線を有するように形成されていれば、上記のような形状に限定される必要はない。
【００６７】
また、前記実施の形態に係るフロアパネル４０においては、図２，７においては、フロアパネル４０の開口部４０ａを構成する底板４６の略コの字状の３つの辺部の内隅部４６ｍが、フロアパネル４０の内側（開口部４０ａと反対側）に向かって湾曲状に入り込むように形成されていたが、フロアパネル４０の開口部４０ａの内側隅部の水平断面が、緩やかな曲線を有するように形成されていれば、上記のような形状に限定される必要はない。
【００６８】
また、前記実施の形態に係るフロアパネル４０においては、天板４４の内側隅部４４ｍの湾曲する形状（図１，６参照）と、底板４６の内側隅部４６ｍの湾曲する形状（図２参照）が、略同一形状となっていたが、内側隅部４４ｍ，４６ｍの水平断面が互いに異なる形状であってもよい。
【００６９】
また、前記実施の形態に係るフロアパネル４０においては、その側面に、略矩形状に入り込むような開口部４０ａが１つのみ形成されていたが、フロアパネル４０の側辺部に、略矩形状に入り込むような開口部４０ａが複数形成されていてもよい。
【００７０】
また、前記実施の形態に係るフロアパネル４０においては、フロアパネル４０の開口部４０ａを構成する略コの字状の３つの辺部には、その垂直断面が円弧状となっている接続部４４ｈが形成されていたが、接続部４４ｈはこのような形状に限定されることはない。
【００７１】
例えば、接続部４４ｈは、天板４４の上面４４ｃと段差受面４４ｇとの間に略直角の段差が形成されるように接続する垂直板状であってもよいし、天板４４の上面４４ｃと段差受面４４ｇとの間に一定角度の傾斜面が形成されるように接続するテーパ状であってもよい。
【００７２】
また、前記実施の形態に係るフロアパネル４０においては、天板４４の四隅部それぞれには、その垂直断面が円弧状となっている接続部４４ｆが形成されていたが、前述の接続部４４ｈと同様にこのような形状に限定されることはない。
【００７３】
また、前記実施の形態に係るフロアパネル４０においては、天板４４が凹部空間４４ｄを有する箱状に形成されると共に、底板４６も凹部空間４６ｄを有する箱状に形成されていたが、従来のフロアパネル２のように、底板４６のみが凹部空間４６ｄを有する箱状に形成され、天板４４は略板状に形成される構成となっていてもよい。
【００７４】
また、前記実施の形態に係るフロアパネル４０においては、開口部４０ａの傾斜部４４ｒ，４６ｒにおける水平断面の形状は、内側隅部４４ｍ（図１，６参照）と内側隅部４６ｍ（図２参照）がフロアパネル４０の内側に向かって入り込むような湾曲状となっていたが、開口部４０ａの水平断面の全部が上記のように湾曲状となっていてもよい。
【００７５】
このため、開口部４０ａの接続部４４ｈにおける水平断面形状も、その内側隅部がフロアパネル４０の内側に向かって入り込むような湾曲状に形成されていてもよい。
【符号の説明】
【００７６】
１  フリーアクセスフロア
２  フロアパネル
２ａ  開口部
３  基礎床面
４  支持脚
５  結合部
６  天板
６ａ  天板部
６ｃ  上面
６ｇ  段差受面
６ｈ  接続部
６ｍ  内側隅部
８  底板
８ａ  底板部
８ｂ  側板部
８ｃ  底面
８ｄ  凹部空間
８ｅ  凹部
８ｍ  内側隅部
１０  内部空間
１２  補強部材
１５  オネジ部材
１７  皿ボルト
１７ａ  皿頭部
１７ｂ  オネジ部
１８  蓋部材
４０  フロアパネル
４０ａ  開口部
４１  フリーアクセスフロア
４４  天板
４２  支持脚
４４ａ  天板部
４４ｂ  側板部
４４ｃ  上面
４４ｄ  凹部空間
４４ｅ  段差受面
４４ｆ  接続部
４４ｇ  段差受面
４４ｈ  接続部
４４ｋ  突出部
４４ｍ  内側隅部
４４ｎ  湾曲部
４４ｒ  傾斜部
４５  結合部
４６  底板
４６ａ  底板部
４６ｂ  側板部
４６ｃ  底面
４６ｄ  凹部空間
４６ｅ  凹部
４６ｋ  突出部
４６ｍ  内側隅部
４６ｒ  傾斜部
５０  補強部材
５６  パネル調整台
５６ａ  支持面
５６ｂ  メネジ孔
５８  脚部
５８ａ  オネジ部
【要約】
板厚が薄い鋼板を用いた場合において難しかったプレス絞り加工を容易にして、材料費用の低減、及びその軽量化を図ることができるフロアパネルを提供する。
上側部材４４と下側部材４６の周縁部同士が結合して内部に内部空間４８が形成されたフロアパネル４０において、上側部材４４と下側部材４６のそれぞれの側板部４４ｂ，４６ｂに、フロアパネル４０の内側に略矩形状に入り込むような開口部４０ａが形成され、開口部４０ａの形状が、その水平断面の全部又は一部において、２つの入隅部４４ｍ，４６ｍが入隅部４４ｍ，４６ｍ以外の他の略直線状の部分よりもフロアパネル４０の内側に入り込むような湾曲状にそれぞれ形成された。【図１】
0005754827.tif 000002
【図２】
0005754827.tif 000003
【図３】
0005754827.tif 000004
【図４】
0005754827.tif 000005
【図５】
0005754827.tif 000006
【図６】
0005754827.tif 000007
【図７】
0005754827.tif 000008
【図８】
0005754827.tif 000009
【図９】
0005754827.tif 000010
【図１０】
0005754827.tif 000011
【図１１】
0005754827.tif 000012
【図１２】
0005754827.tif 000013
【図１３】
0005754827.tif 000014
【図１４】
0005754827.tif 000015
【図１５】
0005754827.tif 000016